(57)【要約】【課題】所定のアクションを契機として、位置情報以外の情報も送信すること。【解決手段】１つの態様において、携帯電子機器（例えば、携帯電話機１）は、通信を行う通信部と、位置測位処理が起動された場合に、位置測位処理の起動契機を特定する情報を、特定の機器を宛先とする通知に含めて前記通信部により送信する制御部とを有する。例えば、携帯電話機１は、緊急地震速報、津波警報、災害情報又は避難情報などの報知型の所定のメッセージの受信を契機として位置測位処理が起動された旨を含む通知メールを携帯電話機３に送信する。【選択図】図２
2013232794.tif 000002
【特許請求の範囲】
【請求項１】
通信を行う通信部と、
位置測位処理が起動された場合に、位置測位処理の起動契機を特定する情報を、特定の機器を宛先とする通知に含めて前記通信部により送信する制御部と
を有する携帯電子機器。
【請求項２】
前記通信部は、所定の通知を受信し、
前記制御部は、前記所定の通知の受信を契機として位置測位処理が起動された場合に、前記所定の通知を特定する情報を前記通知に含めて送信する請求項１に記載の携帯電子機器。
【請求項３】
前記制御部は、前記所定の通知を特定する情報の代わりに、前記所定の通知の受信を契機として位置測位処理が起動された旨を前記通知に含めて送信する請求項２に記載の携帯電子機器。
【請求項４】
前記制御部は、前記位置測位処理により計測される位置の情報を、前記通知にさらに含めて送信する請求項２又は３に記載の携帯電子機器。
【請求項５】
通信を行う通信部を有する携帯電子機器を制御する方法であって、
所定の通知を前記通信部により受信するステップと、
位置測位処理が起動された場合に、位置測位処理の起動契機を特定する情報を、特定の機器を宛先とする通知に含めて前記通信部により送信するステップと
を含む通信方法。
【請求項６】
通信を行う通信部を有する携帯電子機器に、
所定の通知を前記通信部により受信するステップと、
位置測位処理が起動された場合に、位置測位処理の起動契機を特定する情報を、特定の機器を宛先とする通知に含めて前記通信部により送信するステップと
を実行させる通信プログラム。
【発明の詳細な説明】
【技術分野】
【０００１】
本出願は、携帯電子機器、通信方法、及び通信プログラムに関する。
【背景技術】
【０００２】
従来、防犯ブザーの作動など、所定のアクションを契機として測位された位置の情報を、所定の宛先へ送信するサービスが、携帯電話機等の携帯電子機器に対するサービスとして提供されている。
【先行技術文献】
【特許文献】
【０００３】
【特許文献１】特開２０１２−２１８５１号公報
【発明の概要】
【発明が解決しようとする課題】
【０００４】
ところで、従来の携帯電話機等の携帯電子機器は、上述したように、所定のアクションを契機として位置の情報を送信するのみであり、サービスとして充実させる余地が残されている。
【０００５】
上記のことから、所定のアクションを契機として、位置情報以外の情報も送信することができる携帯電子機器、通信方法、及び通信プログラムに対する必要性がある。
【課題を解決するための手段】
【０００６】
１つの態様に係る携帯電子機器は、通信を行う通信部と、前記通信部により所定の通知を受信した場合に、位置測位処理を起動し、前記所定の通知の受信を契機として位置測位処理が起動された旨を、特定の機器を宛先とする通知に含めて送信する制御部とを有する。
【０００７】
１つの態様に係る通信方法は、通信を行う通信部を有する携帯電子機器を制御する方法であって、所定の通知を前記通信部により受信するステップと、位置測位処理を起動し、前記所定の通知の受信を契機として位置測位処理が起動された旨を、特定の機器を宛先とする通知に含めて送信するステップとを含む。
【０００８】
１つの態様に係る通信プログラムは、通信を行う通信部を有する携帯電子機器に、所定の通知を前記通信部により受信するステップと、前記所定の通知を受信した場合に、位置測位処理を起動し、前記所定の通知の受信を契機として位置測位処理が起動された旨を、特定の機器を宛先とする通知に含めて送信するステップとを実行させる。
【図面の簡単な説明】
【０００９】
【図１】図１は、実施形態に係る携帯電話機１の外観上の概略構成を示す正面図である。
【図２】図２は、図１に示す携帯電話機１の機能構成を示すブロック図である。
【図３】図３は、携帯電話機１が緊急地震速報を受信した場合に実行する処理手順の例を示す図である。
【図４】図４は、携帯電話機３に受信される通知メールの表示イメージの一例を示す図である。
【図５】図５は、携帯電話機１が居場所通知要求を受信した場合に実行する処理手順の例を示す図である。
【図６】図６は、携帯電話機３に受信される通知メールの表示イメージの他の例を示す図である。
【図７】図７は、携帯電話機１がユーザによる居場所通知機能の起動操作を受け付けた場合に実行する処理手順の例を示す図である。
【図８】図８は、携帯電話機３に受信される通知メールの表示イメージの他の例を示す図である。
【発明を実施するための形態】
【００１０】
本出願に係る携帯電子機器、通信方法、及び通信プログラムを実施するための実施形態を、図面を参照しつつ詳細に説明する。以下の説明により、本出願に係る携帯電子機器、通信方法、及び通信プログラムが限定されるものではない。以下の説明における構成要素には、当業者が容易に想定できるもの、実質的に同一のもの、いわゆる均等の範囲のものが含まれる。以下においては、携帯電子機器の一例として携帯電話機を取り上げるが、本発明の適用対象は携帯電話機に限定されるものではなく、通信が可能な他の装置に対しても適用できる。例えば、タッチスクリーンを有する多機能携帯電話（スマートフォン）、ＰＨＳ（Ｐｅｒｓｏｎａｌ  Ｈａｎｄｙ−Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン、ゲーム機等に対しても適用できる。
【００１１】
（実施形態）
図１は、実施形態に係る携帯電話機１の外観上の概略構成を示す正面図である。図１に示すように、携帯電話機１には、各種画像を表示するディスプレイ２と、音声を出力するレシーバ１３と、操作入力に用いられる操作部１４とが設けられている。
【００１２】
ディスプレイ２は、携帯電話機１が受信を待機している状態のときに待ち受け画像を表示したり、携帯電話機１の操作を補助するために用いられるメニュー画像を表示したりする。また、レシーバ１３は、携帯電話機１の通話時の音声を出力する。操作部１４は、通話相手の電話番号、メール作成時等の文字の入力、居場所通知機能の起動操作などに用いられる。操作部１４は、上述のキー構成に代えて、表示部上に配置されたタッチセンサであってもよい。
【００１３】
図２は、図１に示す携帯電話機１の機能構成を示すブロック図である。図２に示すように、携帯電話機１は、マイク１１と、スピーカ１２と、レシーバ１３と、操作部１４と、表示部１５と、カメラ１６と、通信部１７と、音声処理部２０と、記憶部４０と、制御部１００とを有する。
【００１４】
マイク１１は、例えば、通話時の音声、音声検索の利用時にユーザが発する音声、ノイズキャンセル処理時に利用する音など、種々の音を取得る。スピーカ１２は、例えば、携帯電話機１の筐体内に配置されており、着信音やメールの送信音等を出力する。レシーバ１３は、例えば、通話時の音声などを出力する。
【００１５】
操作部１４は、各種機能が割り当てられた複数のキーを有する。操作部１４は、これらのキーがユーザの操作により入力されると、その操作内容に対応する信号を発生させる。発生した信号は、ユーザの指示として制御部１００へ入力される。操作部１４は、例えば、居場所通知機能が割り当てられたキーがユーザの操作により入力されると、居場所通知機能の起動信号を発生させる。
【００１６】
表示部１５は、上述のディスプレイ２を有し、制御部１００から供給される映像データに応じた映像や画像データに応じた画像を表示パネルに表示させる。ディスプレイ２は、例えば、液晶ディスプレイ（ＬＣＤ、Ｌｉｑｕｉｄ  Ｃｒｙｓｔａｌ  Ｄｉｓｐｌａｙ）、又は有機ＥＬ（Ｏｒｇａｎｉｃ  Ｅｌｅｃｒｏ−Ｌｕｍｉｎｅｓｃｅｎｃｅ）パネルなどで構成された表示パネルで構成される。表示部１５は、ディスプレイ２に加え、サブディスプレイを有していてもよい。カメラ１６は、撮影した画像を取得する。
【００１７】
通信部１７は、アンテナ１７ａを有し、通信ネットワーク１０に収容される基地局によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、例えば、後述する携帯電話機３との間で電話通信及び情報通信を行う。さらに、通信部１７は、ＧＰＳ衛星からの所定の周波数帯の電波信号を受信し、受信した電波信号の復調処理を行って、処理後の信号を制御部１００に送出する。通信部１７とは別に、ＧＰＳ衛星との通信のみを行う通信部を設けてもよい。
【００１８】
音声処理部２０は、マイク１１に入力される音声信号、スピーカ１２及びレシーバ１３から出力される音声信号の処理を実行する。すなわち、音声処理部２０は、マイク１１から入力される音声を増幅し、アナログデジタル変換を実行した後、さらに符号化等の信号処理を施し、デジタルの音声データに変換してから制御部１００へ送出する。また、制御部１００から送られる音声データの復号化、デジタルアナログ変換、増幅等の処理を施し、アナログの音声信号に変換してからスピーカ１２及びレシーバ１３へ出力する。
【００１９】
記憶部４０は、オペレーティングシステムプログラム及びアプリケーションプログラム等、制御部１００での処理に利用される各種プログラム及び各種データを記憶する。例えば、記憶部４０には、表示部１５の動作を制御するアプリケーションプログラムを作動させるタスク、通信部１７の動作を制御するアプリケーションプログラムを作動させるタスク及び音声処理部２０の動作を制御するアプリケーションプログラムを作動させるタスクなどが記憶されている。また、記憶部４０には、これらのタスク以外にも、例えば、ダウンロードされた音声データ、あるいは記憶部４０に対する制御に制御部１００が用いるプログラム、通信相手の電話番号及びメールアドレス等が記述されたアドレス帳、発信音及び着信音等の音声ファイル、プログラムに基づく処理過程で用いられる一時的なデータ等が記憶される。
【００２０】
本実施形態において、記憶部４０には、少なくとも、他の携帯電話機との間で通話を含む通信を行うためのプログラム、及び気象庁が配信する緊急地震速報及び津波警報、地方公共団体が発信する災害情報及び避難情報などの報知型の所定のメッセージを受信した場合に、位置測位処理を起動し、このメッセージの受信を契機として位置測位処理が起動された旨を、特定の機器を宛先とする通知に含めて送信するためのプログラムが記憶される。
【００２１】
制御部１００は、記憶部４０に記憶されている各種プログラムに基づいて処理を実行する。制御部１００は、例えば、マイクロプロセッサユニット（ＭＰＵ：Ｍｉｃｒｏ  Ｐｒｏｃｅｓｓｉｎｇ  Ｕｎｉｔ）で構成され、記憶部４０に記憶されるプログラムから命令コードを順次読み込んで、読み込んだ命令コードで指示された手順に従って携帯電話機１の各種の処理を実行する。すなわち、制御部１００は、携帯電話機１の各種の処理が、操作部１４の操作、及び携帯電話機１の記憶部４０に記憶されるプログラムに応じて適切な手順で実行されるように、表示部１５、通信部１７及び音声処理部２０等の動作を制御する。
【００２２】
制御部１００は、図３に示すように、位置測位部１１０及び居場所通知部１２０を有する。
【００２３】
位置測位部１１０は、気象庁が配信する緊急地震速報及び津波警報、地方公共団体が発信する災害情報及び避難情報などの報知型の所定のメッセージを受信した場合に、位置測位処理を実行する。
【００２４】
具体的に説明すると、位置測位部１１０は、通信部１７を介してメッセージを受信すると、受信したメッセージが緊急地震速報、津波警報、災害情報又は避難情報などの報知型の所定のメッセージであるか否かを判定する。例えば、位置測位部１１０は、ＢＣＳＭＳなどを利用した一斉配信型のブロードキャストメッセージであれば、受信したメッセージの拡張システムパラメータのブロードキャスト用の領域がページングチャネルに設定されているか否かを判定する。続いて、位置測位部１１０は、受信したメッセージのブロードキャスト用の領域がページングチャネルに設定されている場合には、その領域内に記述された信号を確認することにより、緊急地震速報などの報知型の所定のメッセージであるかを判定する。あるいは、位置測位部１１０は、受信したメッセージが、対象エリア内の機器に対して通信回線事業者により一斉配信されるエリアメールであれば、エリアメールのヘッダ内に設けられたシステム領域のパラメータを確認することにより、緊急地震速報などの報知型の所定のメッセージであるかを判定する。
【００２５】
判定の結果、緊急地震速報などの報知型の所定のメッセージであった場合には、位置測位部１１０は、通信部１７から送出されたＧＰＳ衛星からの電波信号に基づいて、位置測位処理を起動させる。
【００２６】
居場所通知部１２０は、位置測位部１１０により位置測位処理が起動された場合には、位置測位処理が起動された契機となる処理の情報を含む通知メールを生成し、通信部１７により携帯電話機３に送信する。
【００２７】
具体的に説明すると、居場所通知部１２０は、緊急地震速報の受信を契機として、位置測位部１１０による位置測位処理が起動された場合には、緊急地震速報の受信を契機として位置測位処理が起動された旨を含む通知メールを作成する。例えば、居場所通知部１２０は、記憶部４０から携帯電話機３のメールアドレスを読み込んで宛先に設定し、件名に「地震速報受信」と記述し、本文に「携帯電話機１にて緊急地震速報の受信を契機として位置測位処理が起動されました」と記述した通知メールを作成する。続いて、居場所通知部１２０は、位置測位部１１０により位置が測位できた場合には、測位した位置の情報を通知メールの本文に更に含めた後、通信部１７により携帯電話機３に送信する。位置測位部１１０により位置が測位できなかった場合には、居場所通知部１２０は、位置の情報を含まない通知メールを、通信部１７により携帯電話機３に送信する。
【００２８】
携帯電話機３は、携帯電話機１との間で、通信ネットワーク１０を介した電話通信及び情報通信などを行う。
【００２９】
図３を用いて、携帯電話機１にて実行される処理手順の例について説明する。図３は、携帯電話機１が緊急地震速報を受信した場合に実行する処理手順の例を示す図である。図３に示す処理手順は、制御部１００が、記憶部４０に記憶されているプログラムを実行することによって実現される。図３に示す処理手順は、緊急地震速報を受信するたびに実行される。図３示す処理手順は、緊急地震速報以外の、津波警報、災害情報又は避難情報などの報知型の所定のメッセージである場合も同様である。
【００３０】
図３に示すように、位置測位部１１０は、ステップＳ１０１として、緊急地震速報を受信すると、ステップＳ１０２として、位置測位処理を起動する。続いて、居場所通知部１２０は、ステップＳ１０３として、緊急地震速報の受信を契機として位置測位処理を起動した旨を含む通知メールを作成する。例えば、居場所通知部１２０は、記憶部４０から読み込んだ携帯電話機３のメールアドレスを宛先に設定し、件名に「地震速報受信」と記述し、本文に「携帯電話機１にて緊急地震速報の受信を契機として位置測位処理が起動されました」と記述した通知メールを作成する。
【００３１】
続いて、居場所通知部１２０は、ステップＳ１０４として、位置測位部１１０により位置の測位ができたか否かを判定する。判定の結果、位置測位部１１０により位置の測位ができた場合には（ステップＳ１０４，Ｙｅｓ）、居場所通知部１２０は、ステップＳ１０５として、Ｓ１０３で作成した通知メールに、測位した位置情報を含めて携帯電話機３に送信し、受信した緊急地震速報について図３に示す処理手順を終了する。
【００３２】
一方、判定の結果、位置測位部１１０により位置の測位ができなかった場合には（ステップＳ１０４，Ｎｏ）、居場所通知部１２０は、ステップＳ１０６として、Ｓ１０３で作成した通知メールを携帯電話機３に送信し、受信した緊急地震速報について図３に示す処理手順を終了する。
【００３３】
図４は、携帯電話機３に受信される通知メールの表示イメージの一例を示す図である。図４に示すように、携帯電話機３に受信された通知メール３０ａには、例えば、差出人（例えば、特許花子）、「（重要）地震速報受信」という記述を含む件名、「緊急地震速報の受信を契機として位置測位処理が起動されました」という記述及び「［ＧＰＳ情報］ｈｔｔｐ：／／ｉｂａｓｙｏ１．ｎａｖｉ．ｊｐ．・・・・」の記載を含む本文が表示される。
【００３４】
上述してきたように、携帯電話機１は、緊急地震速報の受信を契機として位置測位処理が起動された旨を含む通知メールを携帯電話機３に送信する。このため、携帯電話機３のユーザは、携帯電話機１にて緊急地震速報が受信されたことを知ることができる。
【００３５】
携帯電話機１は、緊急地震速報の受信を契機として位置測位処理が起動された旨を含む通知メールに、位置測位処理により測位された位置の情報をさらに含めて送信する。このため、携帯電話機３のユーザは、携帯電話機１にて緊急地震速報が受信されたときの携帯電話機１の位置の情報をさらに知ることができる。
【００３６】
図３では、携帯電話機１が、緊急地震速報の受信を契機として位置測位処理が起動された旨を含む通知メールを作成して、携帯電話機３に送信する例を説明したが、この例には限定されない。例えば、携帯電話機１が、携帯電話機３から送信された居場所通知要求の受信を契機として位置測位処理が起動された旨を含む通知メールを作成して、携帯電話機３に送信してもよい。
【００３７】
携帯電話機１の記憶部４０には、携帯電話機３から送信された居場所通知要求を受信した場合に、位置測位処理を起動し、このメッセージの受信を契機として位置測位処理が起動された旨を含む通知メールを作成し、携帯電話機３に送信するためのプログラムが記憶される。
【００３８】
携帯電話機１の位置測位部１１０は、受信したメッセージが、携帯電話機３から送信された居場所通知要求であった場合には、通信部１７から送出されたＧＰＳ衛星からの電波信号に基づいて、位置測位処理を起動させる。
【００３９】
携帯電話機１の居場所通知部１２０は、携帯電話機３から送信された居場所通知要求の受信を契機として位置測位処理を起動された旨を含む通知メールを作成して、携帯電話機３に送信する。
【００４０】
図５は、携帯電話機１が居場所通知要求を受信した場合に実行する処理手順の例を示す図である。図５に示す処理手順は、制御部１００が、記憶部４０に記憶されているプログラムを実行することによって実現される。図５に示す処理手順は、携帯電話機３から居場所通知要求を受信するたびに実行される。
【００４１】
図５に示すように、位置測位部１１０は、ステップＳ２０１として、携帯電話機３から居場所通知要求を受信すると、ステップＳ２０２として、位置測位処理を起動する。続いて、居場所通知部１２０は、ステップＳ２０３として、居場所通知要求の受信を契機として位置測位処理を起動した旨を含む通知メールを作成する。例えば、居場所通知部１２０は、記憶部４０から読み込んだ携帯電話機３のメールアドレスを宛先に設定し、件名に「（重要）現在位置」と記述し、本文に「携帯電話機１にて居場所通知要求の受信を契機として位置測位処理が起動されました」と記述した通知メールを作成する。
【００４２】
続いて、居場所通知部１２０は、ステップＳ２０４として、位置測位部１１０により位置の測位ができたか否かを判定する。判定の結果、位置測位部１１０により位置の測位ができた場合には（ステップＳ２０４，Ｙｅｓ）、居場所通知部１２０は、ステップＳ２０５として、Ｓ２０３で作成した通知メールに、測位した位置情報を含めて携帯電話機３に送信し、受信した居場所通知要求について図５に示す処理手順を終了する。
【００４３】
一方、判定の結果、位置測位部１１０により位置の測位ができなかった場合には（ステップＳ２０４，Ｎｏ）、居場所通知部１２０は、ステップＳ２０６として、Ｓ２０３で作成した通知メールを携帯電話機３に送信し、受信した居場所通知要求について図５に示す処理手順を終了する。
【００４４】
図６は、携帯電話機３に受信される通知メールの表示イメージの他の例を示す図である。図６に示すように、携帯電話機３に受信された通知メール３０ｂには、例えば、差出人（例えば、特許花子）、「（重要）現在位置」という記述を含む件名、「携帯電話機１にて居場所通知要求の受信を契機として位置測位処理が起動されました。」という記述及び「［ＧＰＳ情報］ｈｔｔｐ：／／ｉｂａｓｙｏ２．ｎａｖｉ．ｊｐ．・・・・」の記載を含む本文が表示される。
【００４５】
図５では、携帯電話機１が、居場所通知要求の受信を契機として位置測位処理が起動された旨を含む通知メールを作成して、携帯電話機３に送信する例を説明したが、この例には限定されない。例えば、携帯電話機１が、ユーザによる居場所通知機能の起動操作の受付を契機として位置測位処理が起動された旨を含む通知メールを作成して、携帯電話機３に送信してもよい。
【００４６】
携帯電話機１の記憶部４０には、ユーザによる居場所通知機能の起動操作を受け付けた場合に、位置測位処理を起動し、この起動操作の受付を契機として位置測位処理が起動された旨を含む通知メールを作成し、携帯電話機３に送信するためのプログラムが記憶される。
【００４７】
携帯電話機１の位置測位部１１０は、ユーザによる居場所通知機能の起動操作を受け付けた場合には、位置測位処理を起動し、通信部１７から送出されたＧＰＳ衛星からの電波信号に基づいて、位置測位処理を起動させる。
【００４８】
携帯電話機１の居場所通知部１２０は、ユーザによる居場所通知機能の起動操作の受付を契機として位置測位処理が起動された旨を含む通知メールを作成して、携帯電話機３に送信する。
【００４９】
図７は、携帯電話機１がユーザによる居場所通知機能の起動操作を受け付けた場合に実行する処理手順の例を示す図である。図７に示す処理手順は、制御部１００が、記憶部４０に記憶されているプログラムを実行することによって実現される。図７に示す処理手順は、ユーザによる居場所通知機能の起動操作を受け付けるたびに実行される。
【００５０】
図７に示すように、位置測位部１１０は、ステップＳ３０１として、ユーザによる居場所通知機能の起動操作を受け付けると、ステップＳ３０２として、位置測位処理を起動する。続いて、居場所通知部１２０は、ステップＳ３０３として、居場所通知機能の起動操作の受付を契機として位置測位処理を起動した旨を含む通知メールを作成する。例えば、居場所通知部１２０は、記憶部４０から読み込んだ携帯電話機３のメールアドレスを宛先に設定し、件名に「（重要）現在位置」と記述し、本文に「携帯電話機１にて居場所通知機能の起動操作の受付を契機として位置測位処理が起動されました」と記述した通知メールを作成する。
【００５１】
続いて、居場所通知部１２０は、ステップＳ３０４として、位置測位部１１０により位置の測位ができたか否かを判定する。判定の結果、位置測位部１１０により位置の測位ができた場合には（ステップＳ３０４，Ｙｅｓ）、居場所通知部１２０は、ステップＳ３０５として、Ｓ３０３で作成した通知メールに、測位した位置情報を含めて携帯電話機３に送信し、受け付けた居場所通知機能の起動操作について図７に示す処理手順を終了する。
【００５２】
一方、判定の結果、位置測位部１１０により位置の測位ができなかった場合には（ステップＳ３０４，Ｎｏ）、居場所通知部１２０は、ステップＳ３０６として、Ｓ３０３で作成した通知メールを携帯電話機３に送信し、受信した居場所通知要求について図７に示す処理手順を終了する。
【００５３】
図８は、携帯電話機３に受信される通知メールの表示イメージの他の例を示す図である。図８に示すように、携帯電話機３に受信された通知メール３０ｃには、例えば、差出人（例えば、特許花子）、「（重要）現在位置」という記述を含む件名、「携帯電話機１にて居場所通知機能の起動操作の受付を契機として位置測位処理が起動されました」という記述及び「［ＧＰＳ情報］ｈｔｔｐ：／／ｉｂａｓｙｏ３．ｎａｖｉ．ｊｐ．・・・・」の記載を含む本文が表示される。
【００５４】
上述してきた実施形態では、携帯電話機１は、「緊急地震速報の受信を契機として位置測位処理が起動されました」という記述をメールの件名に挿入した通知メールを携帯電話機３に対して送信する例を説明したが、これには限定されない。携帯電話機１は、位置測位処理の契機となった所定の通知を特定する情報を、携帯電話機３に対して送信するようにしてもよい。
【００５５】
例えば、携帯電話機１は、緊急地震速報の受信を契機として位置測位処理を起動した場合に、上記のように件名に挿入される記述ではなく、位置測位処理の起動の契機となった緊急地震速報を特定する識別情報を通知メールに含めて送信してもよい。あるいは、携帯電話機１は、津波警報、災害情報又は避難情報の受信を契機として位置測位処理を起動した場合に、位置測位処理の起動の契機となった津波警報、災害情報又は避難情報を特定する識別情報を通知メールに含めて送信してもよい。あるいは、携帯電話機１は、居場所通知要求の受信を契機として位置測位処理を起動した場合に、位置測位処理の起動の契機となった居場所通知要求を特定する識別情報を通知メールに含めて送信してもよい。携帯電話機３のユーザは、この識別情報を参照すれば、位置測位処理の起動の契機を把握できるものとする。
【００５６】
あるいは、携帯電話機１は、上記の識別情報の代わりに、緊急地震速報及び津波警報などのメッセージの内容自体を通知メールに含めて携帯電話機３に送信してもよい。
【００５７】
あるいは、携帯電話機１は、居場所通知機能に基づく自発的な位置測位処理の起動を行った場合に、居場所通知機能に基づく自発的な位置測位処理の起動であることを示す識別情報を通知メールに含めて送信してもよい。
【００５８】
上述した実施形態において、携帯電話機１は、緊急地震速報受信時に、何らかのアプリケーションが起動されている場合には、起動中のアプリケーションが終了し、待受け画面に遷移したことを契機として、位置測位処理を起動し、緊急地震速報の受信を契機として位置測位処理が起動された旨を含む通知メールを携帯電話機３に送信してもよい。
【００５９】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００６０】
１、３  携帯電話機
１１  マイク
１２  スピーカ
１３  レシーバ
１４  操作部
１５  表示部
１６  カメラ
１７  通信部
２０  音声処理部
４０  記憶部
１００  制御部
１１０  位置測位部
１２０  居場所通知部
【図１】
2013232794.tif 000003
【図２】
2013232794.tif 000004
【図３】
2013232794.tif 000005
【図４】
2013232794.tif 000006
【図５】
2013232794.tif 000007
【図６】
2013232794.tif 000008
【図７】
2013232794.tif 000009
【図８】
2013232794.tif 000010